(57)【要約】【課題】極めて簡単な構造により、強い接着力で接着されている容器のシール蓋を簡単に剥がすことができるシール蓋剥がし付きスプーンを提供するものである。【解決手段】金属で形成されたスプーン１の柄２の上面に凹部４を形成して、ここをシール蓋１０に形成されたつまみ片１１の挿入ガイド溝５とし、この挿入ガイド溝５の底部から、柄の長手方向に沿ってつまみ片１１を挿入するスリット６を、柄２の横方向に貫通して形成し、このスリット６の両端にエッジ部７、７を形成し、スリット６にシール蓋１０のつまみ片１１を挿入してスプーン１を回転させることにより、シール蓋１０を柄２に巻き取って容器９から剥がすようにしたものである。【選択図】  図４
0003154216.tif 000002
【実用新案登録請求の範囲】
【請求項１】
金属で形成されたスプーンの柄の上面または側面に凹部を形成して、ここをシール蓋に形成されたつまみ片の挿入ガイド溝とし、この挿入ガイド溝の底部から、柄の長手方向に沿ってつまみ片を挿入するスリットを、柄の横方向または縦方向に貫通して形成したことを特徴とするシール蓋剥がし付きスプーン。
【請求項２】
柄を貫通したスリットの両端にエッジ部を形成したことを特徴とする請求項１のシール蓋剥がし付きスプーン。
【考案の詳細な説明】
【技術分野】
【０００１】
本考案は、容器や包装のシール蓋を剥がすことができるスプーンに関するものである。
【背景技術】
【０００２】
一般に、ゼリーやヨーグルト、プリン、ジャム、豆腐、味噌、カップ麺などは容器に入れられて、容器の上部がシール蓋で熱融着して密閉されている。このシール蓋はカップ麺など乾燥した食材が封入されている容器では、つまみ片を指でつまんで容易に剥がすことができる。しかしながら、乳飲料や豆腐などの液体が封入されている容器では、液漏れしないようにシール蓋がしっかり接着されているので、子供や高齢者にとって小さなつまみ片をつまんで剥がすのは面倒であった。またスライスしたハムやベーコンなど、プラスチックシートを２枚貼り合わせた包装袋に入れたものも、貼り合わせたコーナー部につまみ片が形成されているが、これも同様に剥がしずらい問題があった。
【考案の概要】
【考案が解決しようとする課題】
【０００３】
本考案は上記問題を改善し、極めて簡単な構造により、強い接着力で接着されている容器のシール蓋を簡単に剥がすことができるシール蓋剥がし付きスプーンを提供するものである。
【課題を解決するための手段】
【０００４】
本考案の請求項１記載のシール蓋剥がし付きスプーンは、金属で形成されたスプーンの柄の上面または側面に凹部を形成して、ここをシール蓋に形成されたつまみ片の挿入ガイド溝とし、この挿入ガイド溝の底部から、柄の長手方向に沿ってつまみ片を挿入するスリットを、柄の横方向または縦方向に貫通して形成したことを特徴とするものである。
【０００５】
本考案の請求項２記載のシール蓋剥がし付きスプーンは、請求項１において、柄を貫通したスリットの両端にエッジ部を形成したことを特徴とするものである。
【考案の効果】
【０００６】
本考案に係る請求項１記載のシール蓋剥がし付きスプーンによれば、金属で形成されたスプーンの柄に凹部を形成して、ここをシール蓋の挿入ガイド溝とし、この挿入ガイド溝の底部から、柄の長手方向に沿ってシール蓋を挿入するスリットを貫通して形成したので、シール蓋の縁に突出して形成されたつまみ片を挿入ガイド溝に挿入し、横方向にずらしてスリットの間に挿入してからスプーンを回転させるとシール蓋が柄に巻き取られてシール蓋が容器から剥がされ、子供や手が不自由な高齢者でも簡単に剥がすことができる。
【０００７】
また請求項２記載のシール蓋剥がし付きスプーンによれば、スリットの両端にエッジ部が形成されているので、挿入したつまみ片がエッジ部で折り曲げられ、滑ることなく円滑に柄に巻き取ることができる。
【考案を実施するための最良の形態】
【０００８】
以下本考案の実施の一形態を図１ないし図５を参照して詳細に説明する。図において１はシール蓋剥がし付きスプーンを示すもので、金属で形成された丸棒状の柄２の先端にさじ３を形成し、柄２の上面に凹部４を形成して、ここをシール蓋の挿入ガイド溝５とし、この挿入ガイド溝５の底部から、柄２の長手方向に沿ってシール蓋を挿入するスリット６が、柄２を横方向に貫通して形成されている。また図３に示すように柄２を貫通したスリット６は、丸棒状の柄２の直径の上から約３分の１程度の位置に形成され、その両端にはエッジ部７、７が形成されている。
【０００９】
上記構成のシール蓋剥がし付きスプーン１を使用して、図４に示すようにプリンの入った容器９を開ける場合、容器９の上部に接着されているシール蓋１０の縁に突出して形成されたつまみ片１１を、シール蓋剥がし付きスプーン１の挿入ガイド溝５に挿入し、横方向にずらして図５（Ａ）に示すように、スリット６の間に挿入する。次に片手でさじ３を持ち、他方の手で柄２の端部を持って、スプーン１を回転させていくと図５（Ｂ）〜図５（Ｄ）に示すようにつまみ片１１がスリット６に保持された状態で、シール蓋１０が柄２に巻き取られて容器９から次第に剥がされていく。
【００１０】
この場合、スリット６の両端にはエッジ部７が形成されているので、挿入したつまみ片１１がエッジ部７で折り曲げられ、滑ることなく円滑に柄２に巻き取られていく。このように、小さなつまみ片１１をスリット６に挿入してスプーン１を回転させながら巻き取るだけでシール蓋１０が剥がされていくので子供や高齢者でも簡単に剥がすことができる。
【００１１】
図６および図７は本考案の他の実施の形態を示すもので、金属で形成された平板状の柄２の先端にさじ３を形成し、柄２の側面に凹部４を形成して、ここをシール蓋の挿入ガイド溝５とし、この挿入ガイド溝５の底部から、柄２の長手方向に沿ってシール蓋１０のつまみ片１１を挿入するスリット６が、柄２を縦方向に貫通して形成されている。また図７に示すように柄２を貫通したスリット６の両端にはエッジ部７、７が形成されている。
【００１２】
上記構成のシール蓋剥がし付きスプーン１を使用して、プリンの入った容器９を開ける場合、図７（Ａ）に示すように、容器９の上部に接着されているシール蓋１０の縁に突出したつまみ片１１を、スプーン１の挿入ガイド溝５に挿入し、横方向にずらしてスリット６の間に挿入し、片手でさじ３を持ち、他方の手で柄２の端部を持って、スプーン１を回転させていくと図７（Ｂ）に示すようにシール蓋１０が柄２に巻き取られてシール蓋１０が容器９から次第に剥がされていく。この場合、柄２が平板状に形成されているのでスプーン１の回転が容易である。
【００１３】
なお上記説明ではプリンの入った容器９のシール蓋１０を剥がす場合について説明したが、ヨーグルト、プリン、ジャム、豆腐、味噌などを入れた容器９のシール蓋１０を剥がす場合も同様である。またスライスしたハムやベーコンなど、プラスチックシートを２枚貼り合わせた包装袋に入れたものも、貼り合わせたシートのコーナー部に形成されたつまみ片を、スプーン１のスリット６に挿入して回転すれば、簡単に剥がすことができる。更に柄２の端部にカッター部を形成し、調味料を入れた小さな袋の縁をカッター部で切れば容易に開封することができる。
【図面の簡単な説明】
【００１４】
【図１】本考案の実施の一形態によるシール蓋剥がし付きスプーンの斜視図ある。
【図２】図１に示すシール蓋剥がし付きスプーンの側面図である。
【図３】図１に示すシール蓋剥がし付きスプーンの柄の断面図である。
【図４】図１に示すシール蓋剥がし付きスプーンを使用して容器のシール蓋を剥がしている状態を示す斜視図である。
【図５】（Ａ）〜（Ｄ）は柄にシール蓋を巻きつけて剥がしていく状態を順次示す断面図である。
【図６】本考案の他の実施の形態によるシール蓋剥がし付きスプーンの平面図である。
【図７】（Ａ）〜（Ｂ）は柄にシール蓋を巻きつけて剥がしていく状態を順次示す断面図である。
【符号の説明】
【００１５】
１    シール蓋剥がし付きスプーン                            
２    柄                                                    
３    さじ                                                  
４    凹部                                                  
５    挿入ガイド溝                                          
６    スリット                                              
７    エッジ部                                              
９    容器                                                  
１０  シール蓋                                              
１１  つまみ片                                              
【図１】
0003154216.tif 000003
【図２】
0003154216.tif 000004
【図３】
0003154216.tif 000005
【図４】
0003154216.tif 000006
【図５】
0003154216.tif 000007
【図６】
0003154216.tif 000008
【図７】
0003154216.tif 000009